(57)【要約】【課題】色度の経時的変化及び表示品位の低下を抑制することが可能な表示装置及び光源装置を提供する。【解決手段】第１端部及び第２端部を有する導光板と、前記導光板の前記第１端部と対向し、光を発光する発光素子と、前記導光板の前記第２端部と対向し、前記発光素子から出射された出射光によって励起され前記出射光とは異なる波長の光を発光する波長変換部材と、を備える光源装置。【選択図】図３
2017027902.tif 000002
【特許請求の範囲】
【請求項１】
第１端部及び第２端部を有する導光板と、
前記導光板の前記第１端部と対向し、光を発光する発光素子と、
前記導光板の前記第２端部と対向し、前記発光素子から出射された出射光によって励起され前記出射光とは異なる波長の光を発光する波長変換部材と、を備える光源装置。
【請求項２】
前記発光素子は、青色発光ダイオード、又は、紫外発光ダイオードである請求項１に記載の光源装置。
【請求項３】
前記波長変換部材は、蛍光体、又は、量子ドットを有する請求項１に記載の光源装置。
【請求項４】
前記波長変換部材は、赤色、緑色、青色の少なくとも１色の光を発光する請求項１に記載の光源装置。
【請求項５】
さらに、前記波長変換部材を囲む反射部材を備える請求項１に記載の光源装置。
【請求項６】
前記導光板は、前記発光素子に隣接して形成される凸部を有する請求項１に記載の光源装置。
【請求項７】
前記導光板は、さらに、プリズムパターンが形成された主面を有している請求項１に記載の光源装置。
【請求項８】
第１端部及び第２端部を有する第１導光板と、
前記第１導光板の前記第１端部と対向し、光を発光する第１発光素子と、
前記第１導光板の前記第２端部と対向し、前記第１発光素子から出射された出射光によって励起され前記出射光とは異なる波長の光を発光する第１波長変換部材と、
前記第１導光板の上に配置され、第３端部及び第４端部を有する第２導光板と、
前記第１波長変換材料の上に配置され、前記第２導光板の前記第３端部と対向し、光を発光する第２発光素子と、
前記第１発光素子の上に配置され、前記第２導光板の前記第４端部と対向し、前記第２発光素子から出射された出射光によって励起され前記出射光とは異なる波長の光を発光する第２波長変換部材と、を備える光源装置。
【請求項９】
さらに、前記第１波長変換部材を囲む第１反射部材と、
前記第２波長変換部材を囲む第２反射部材と、を備える請求項８に記載の光源装置。
【請求項１０】
第１端部及び第２端部を有する導光板と、
前記導光板の前記第１端部と対向し、光を発光する第１発光素子と、
前記導光板の前記第２端部と対向し、前記第１発光素子から出射された出射光によって励起され前記出射光とは異なる波長の光を発光する第１波長変換部材と、
前記導光板の前記第２端部と対向し光を発光する第２発光素子と、
前記導光板の前記第１端部と対向し、前記第２発光素子から出射された出射光によって励起され前記出射光とは異なる波長の光を発光する第２波長変換部材と、を備える光源装置。
【請求項１１】
前記第１発光素子及び前記第２波長変換部材は、前記導光板の前記第１端部に沿って並んでいる請求項１０に記載の光源装置。
【請求項１２】
前記第２波長変換部材は、前記第１発光素子の前記導光板と反対側に配置されている請求項１０に記載の光源装置。
【請求項１３】
表示パネルと、
前記表示パネルを照明する光源装置と、を備え、
前記光源装置は、第１端部及び第２端部を有する導光板と、
前記導光板の前記第１端部と対向し、光を発光する発光素子と、
前記導光板の前記第２端部と対向し、前記発光素子から出射された出射光によって励起され前記出射光とは異なる波長の光を発光する波長変換部材と、を備える表示装置。
【請求項１４】
表示パネルと、
前記表示パネルを照明する光源装置と、を備え、
前記光源装置は、第１端部及び第２端部を有する第１導光板と、
前記第１導光板の前記第１端部と対向し、光を発光する第１発光素子と、
前記第１導光板の前記第２端部と対向し、前記第１発光素子から出射された出射光によって励起され前記出射光とは異なる波長の光を発光する第１波長変換部材と、
前記第１導光板の上に配置され、第３端部及び第４端部を有する第２導光板と、
前記第１波長変換材料の上に配置され、前記第２導光板の前記第３端部と対向し、光を発光する第２発光素子と、
前記第１発光素子の上に配置され、前記第２導光板の前記第４端部と対向し、前記第２発光素子から出射された出射光によって励起され前記出射光とは異なる波長の光を発光する第２波長変換部材と、を備える表示装置。
【請求項１５】
表示パネルと、
前記表示パネルを照明する光源装置と、を備え、
前記光源装置は、第１端部及び第２端部を有する導光板と、
前記導光板の前記第１端部と対向し、光を発光する第１発光素子と、
前記導光板の前記第２端部と対向し、前記第１発光素子から出射された出射光によって励起され前記出射光とは異なる波長の光を発光する第１波長変換部材と、
前記導光板の前記第２端部と対向し光を発光する第２発光素子と、
前記導光板の前記第１端部と対向し、前記第２発光素子から出射された出射光によって励起され前記出射光とは異なる波長の光を発光する第２波長変換部材と、を備える表示装置。
【発明の詳細な説明】
【技術分野】
【０００１】
本発明の実施形態は、表示装置及び光源装置に関する。
【背景技術】
【０００２】
近年、液晶表示装置等の表示装置が各種分野で利用されている。表示装置は、例えば、照明装置としてバックライトユニットを備えている。近年、光源として発光ダイオード（ＬＥＤ）を備えたバックライトユニットが注目されている。一例では、導光板と、導光板の端部に沿って配置された発光ダイオード（ＬＥＤ）と、ＬＥＤと導光板の間にＬＥＤから発光された光を変換する波長変換体と、を備えた構成のバックライトユニットが知られている。波長変換体は、例えば、ＬＥＤからの光を変換するための蛍光物質を備えている。
【０００３】
上記のような構成では、ＬＥＤと波長変換体とが近接して配置されるため、ＬＥＤ点灯時に生じる熱が蛍光物質の変換効率に影響を及ぼし、光源装置における色度の経時的変化や表示装置における表示品位の低下を招く恐れがある。
【先行技術文献】
【特許文献】
【０００４】
【特許文献１】特許第３９３１３５５号公報
【発明の概要】
【発明が解決しようとする課題】
【０００５】
本実施形態の目的は、色度の経時的変化及び表示品位の低下を抑制することが可能な表示装置及び光源装置を提供することにある。
【課題を解決するための手段】
【０００６】
本実施形態によれば、
第１端部及び第２端部を有する導光板と、前記導光板の前記第１端部と対向し、光を発光する発光素子と、前記導光板の前記第２端部と対向し、前記発光素子から出射された出射光によって励起され前記出射光とは異なる波長の光を発光する波長変換部材と、を備える光源装置が提供される。
【０００７】
本実施形態によれば、
第１端部及び第２端部を有する第１導光板と、前記第１導光板の前記第１端部と対向し、光を発光する第１発光素子と、前記第１導光板の前記第２端部と対向し、前記第１発光素子から出射された出射光によって励起され前記出射光とは異なる波長の光を発光する第１波長変換部材と、前記第１導光板の上に配置され、第３端部及び第４端部を有する第２導光板と、前記第１波長変換材料の上に配置され、前記第２導光板の前記第３端部と対向し、光を発光する第２発光素子と、前記第１発光素子の上に配置され、前記第２導光板の前記第４端部と対向し、前記第２発光素子から出射された出射光によって励起され前記出射光とは異なる波長の光を発光する第２波長変換部材と、を備える光源装置が提供される。
【０００８】
本実施形態によれば、
第１端部及び第２端部を有する導光板と、前記導光板の前記第１端部と対向し、光を発光する第１発光素子と、前記導光板の前記第２端部と対向し、前記第１発光素子から出射された出射光によって励起され前記出射光とは異なる波長の光を発光する第１波長変換部材と、前記導光板の前記第２端部と対向し光を発光する第２発光素子と、前記導光板の前記第１端部と対向し、前記第２発光素子から出射された出射光によって励起され前記出射光とは異なる波長の光を発光する第２波長変換部材と、を備える光源装置が提供される。
【０００９】
本実施形態によれば、
表示パネルと、前記表示パネルを照明する光源装置と、を備え、前記光源装置は、第１端部及び第２端部を有する導光板と、前記導光板の前記第１端部と対向し、光を発光する発光素子と、前記導光板の前記第２端部と対向し、前記発光素子から出射された出射光によって励起され前記出射光とは異なる波長の光を発光する波長変換部材と、を備える表示装置が提供される。
【００１０】
本実施形態によれば、
表示パネルと、前記表示パネルを照明する光源装置と、を備え、前記光源装置は、第１端部及び第２端部を有する第１導光板と、前記第１導光板の前記第１端部と対向し、光を発光する第１発光素子と、前記第１導光板の前記第２端部と対向し、前記第１発光素子から出射された出射光によって励起され前記出射光とは異なる波長の光を発光する第１波長変換部材と、前記第１導光板の上に配置され、第３端部及び第４端部を有する第２導光板と、前記第１波長変換材料の上に配置され、前記第２導光板の前記第３端部と対向し、光を発光する第２発光素子と、前記第１発光素子の上に配置され、前記第２導光板の前記第４端部と対向し、前記第２発光素子から出射された出射光によって励起され前記出射光とは異なる波長の光を発光する第２波長変換部材と、を備える光源装置が提供される。
【００１１】
本実施形態によれば、
表示パネルと、前記表示パネルを照明する光源装置と、を備え、前記光源装置は、第１端部及び第２端部を有する導光板と、前記導光板の前記第１端部と対向し、光を発光する第１発光素子と、前記導光板の前記第２端部と対向し、前記第１発光素子から出射された出射光によって励起され前記出射光とは異なる波長の光を発光する第１波長変換部材と、前記導光板の前記第２端部と対向し光を発光する第２発光素子と、前記導光板の前記第１端部と対向し、前記第２発光素子から出射された出射光によって励起され前記出射光とは異なる波長の光を発光する第２波長変換部材と、を備える光源装置が提供される。
【図面の簡単な説明】
【００１２】
【図１】図１は、表示装置ＬＣＤの構成の一例を示す分解斜視図である。
【図２】図２は、図１に示した表示パネルＰＮＬの一部の構成を示す断面図である。
【図３】図３は、図１に示したバックライトユニットＢＬの一部の構成を示す平面図である。
【図４】図４は、図３の線Ｉ−Ｉの断面を示す図である。
【図５】図５は、本実施形態に係る他の構成例を示す図である。
【図６】図６は、本実施形態に係るバックライトユニットＢＬの他の構成例を示す分解斜視図である。
【図７】図７は、図６の線ＩＩ−ＩＩの断面を示す図である。
【図８】図８は、本実施形態に係るバックライトユニットＢＬの他の構成例を示す図である。
【図９】図９は、図８の矢印Ｂの方向から見た発光素子ＬＥＤ１乃至ＬＥＤ３と波長変換部材の構成例を示す図である。
【図１０】図１０は、図８に示したバックライトユニットＢＬの断面図である。
【図１１】図１１は、本実施形態に係るバックライトユニットＢＬの他の構成例を示す図である。
【図１２】図１２は、図１１の矢印Ｃの方向から見た発光素子ＬＥＤ１乃至ＬＥＤ３と波長変換部材ＷＣ１の構成例を示す図である。
【図１３】図１３は、図１１に示したバックライトユニットＢＬの断面図である。
【発明を実施するための形態】
【００１３】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００１４】
図１は、表示装置ＬＣＤの構成の一例を示す分解斜視図である。ここでは表示装置ＬＣＤが液晶表示装置である場合について説明する。この表示装置は、例えば、スマートフォン、タブレット端末、携帯電話端末、パーソナルコンピュータ、テレビ受像装置、車載装置、ゲーム機器等の種々の装置に用いることができる。
【００１５】
表示装置ＬＣＤは、表示パネルＰＮＬ、両面テープＴＰ、バックライトユニットＢＬ、ベゼルＢＺ等を備えている。バックライトユニットＢＬは、表示パネルＰＮＬの第１基板ＳＵＢ１と対向する側に備えられている。ベゼルＢＺは、表示パネルＰＮＬ、及び、バックライトユニットＢＬを収容している。
【００１６】
表示パネルＰＮＬは、平板状の第１基板ＳＵＢ１と、第１基板ＳＵＢ１に対向する平板状の第２基板ＳＵＢ２と、第１基板ＳＵＢ１及び第２基板ＳＵＢ２の間に保持された図示しない液晶層と、を備えている。第１基板ＳＵＢ１及び第２基板ＳＵＢ２は、これらの間に所定のセルギャップを形成した状態で図示しないシール材によって貼り合わせられている。液晶層は、第１基板ＳＵＢ１及び第２基板ＳＵＢ２と、シール材によって囲まれた内側に封入されている。表示パネルＰＮＬを駆動するのに必要な信号を供給する信号供給源として駆動ＩＣチップ及びフレキシブル・プリンテッド基板ＦＰＣが第１基板ＳＵＢ１に実装されている。
【００１７】
表示パネルＰＮＬは、第１基板ＳＵＢ１及び第２基板ＳＵＢ２が対向する領域に表示領域ＤＡを有している。図示した例では、表示領域ＤＡは長方形状に形成されている。表示パネルＰＮＬは、表示領域ＤＡの外側に矩形枠状の非表示領域ＮＤＡを有している。本実施形態の表示パネルＰＮＬは、バックライトユニットＢＬからの光を選択的に透過させることで画像を表示する透過表示機能を備えた透過型、あるいは、透過表示機能に加えて外光または補助光を選択的に反射させることで画像を表示させる反射表示機能を備えた半透過型である。
【００１８】
バックライトユニットＢＬは、本実施形態の光源装置に相当し、光学シートＯＳ、フレームＦＲ、導光板ＬＧ、光源ユニットＬＵ、波長変換部材ＷＣ、反射部材ＲＳを備えている。
【００１９】
光学シートＯＳは、光透過性を有しており、表示パネルＰＮＬの第１基板ＳＵＢ１と対向する側に配置されている。光学シートＯＳとしては、拡散シートＯＳＡ、プリズムシートＯＳＢ、プリズムシートＯＳＣ、拡散シートＯＳＤなどがバックライトユニットＢＬに備えられている。図示した例では、これらの光学シートＯＳは、いずれも長方形状に形成され、表示領域ＤＡに対向している。
【００２０】
フレームＦＲは、表示パネルＰＮＬとベゼルＢＺとの間に配置されている。図示した例では、フレームＦＲは、矩形枠状に形成されており、表示領域ＤＡと対向する領域に長方形状の開口部ＯＰを有している。
【００２１】
両面テープＴＰは、表示パネルＰＮＬ及びフレームＦＲの間に配置されている。両面テープＴＰは、表示パネルＰＮＬの非表示領域ＮＤＡと対向する位置で、表示パネルＰＮＬ及びフレームＦＲを貼り合わせている。両面テープＴＰは、矩形枠状に形成され、例えば、遮光性を有している。
【００２２】
導光板ＬＧは、フレームＦＲとベゼルＢＺとの間に配置されている。導光板ＬＧは、例えば平板状に形成されている。導光板ＬＧは、フレームＦＲと対向する側の主面（第１面）ＬＧＡと、主面ＬＧＡの反対側の主面（第２面）ＬＧＢと、主面ＬＧＡ及び主面ＬＧＢを繋ぐ側面である第１端部ＬＧＣと、第１端部ＬＧＣの反対側の側面である第２端部ＬＧＤと、を有している。なお、ここでは第１端部ＬＧＣ及び第２端部ＬＧＤは、平坦な側面であるが、凹凸状や円弧状等、様々な形状に形成されていても良い。
【００２３】
光源ユニットＬＵは、導光板ＬＧの第１端部ＬＧＣと対向して配置されている。光源ユニットＬＵは、複数の発光素子ＬＥＤ、発光素子ＬＥＤが実装されるフレキシブル回路基板ＬＦＰＣなどを備えている。導光板ＬＧについて、発光素子ＬＥＤと対向する第１端部ＬＧＣは入射面に相当し、表示パネルＰＮＬと対向する主面ＬＧＡは出射面に相当する。
【００２４】
波長変換部材ＷＣは、導光板ＬＧの第２端部ＬＧＤと対向して配置されている。つまり、波長変換部材ＷＣは、導光板ＬＧを介して発光素子ＬＥＤと対向して配置されている。
【００２５】
ここでは、発光素子ＬＥＤは、導光板ＬＧの短辺に平行な第１端部ＬＧＣに沿って並んで配置されているが、導光板ＬＧの長辺に平行な側面に沿って並んで配置されていてもよい。この時、波長変換部材ＷＣは、発光素子ＬＥＤとは反対側の導光板ＬＧの長辺に平行な側面に沿って並んで配置され、導光板ＬＧを介して発光素子ＬＥＤと対向して配置されるのが望ましい。また、発光素子ＬＥＤ及び波長変換部材ＷＣは、一方が導光板ＬＧの短辺に平行な側面に沿って配置され、もう一方が導光板ＬＧの長辺に平行な側面に沿って配置されても良い。
【００２６】
反射部材ＲＳは、光反射性を有しており、導光板ＬＧとベゼルＢＺの間に配置されている。図示した例では、反射部材ＲＳは、導光板ＬＧの主面ＬＧＢに対向している。反射部材ＲＳは、光源ユニットＬＵ及び波長変換部材ＷＣを囲むように形成されるのが望ましく、その詳細な構成については後述する。
【００２７】
なお、図示した例では、表示装置ＬＣＤ、表示パネルＰＮＬ、バックライトユニットＢＬ、及び、導光板ＬＧが略長方形状に形成されているが、これらの形状は図示した例に限らない。例えば、これらは、三角形や五角形以上の多角形に形成されても良いし、円形、楕円形などの形状に形成されても良い。導光板ＬＧが円形や楕円形に形成された場合、例えば、発光素子ＬＥＤは導光板ＬＧの側面に沿ってアーチ状に並んで配置され、また、波長変換部材ＷＣは発光素子ＬＥＤとは反対側の導光板の側面に沿ってアーチ状に形成される。
【００２８】
図２は、図１に示した表示パネルＰＮＬの一部の構成を示す断面図である。
第１基板ＳＵＢ１は、ガラス基板や樹脂基板などの透明な第１絶縁基板１０を用いて形成されている。第１基板ＳＵＢ１は、第１絶縁基板１０の第２基板ＳＵＢ２と対向する側に、共通電極ＣＥ、画素電極ＰＥ１、ＰＥ２、ＰＥ３、第１絶縁膜１１、第２絶縁膜１２、第１配向膜ＡＬ１などを備えている。共通電極ＣＥは、第１絶縁膜１１の上に形成され、画素ＰＸ１乃至ＰＸ３に亘って延在している。第２絶縁膜１２は、共通電極ＣＥを覆っている。なお、第１絶縁基板１０と第１絶縁膜１１との間には、図示しないゲート配線やソース配線、スイッチング素子などが形成されている。画素ＰＸ１の画素電極ＰＥ１、画素ＰＸ２の画素電極ＰＥ２、画素ＰＸ３の画素電極ＰＥ３のそれぞれは、第２絶縁膜１２の上に形成され、共通電極ＣＥと対向している。画素電極ＰＥ１乃至ＰＥ３は、共通電極ＣＥと対向する位置に、それぞれスリットＳＬＡを有している。画素電極ＰＥ１乃至ＰＥ３は、第１配向膜ＡＬ１によって覆われている。共通電極ＣＥ、画素電極ＰＥ１乃至ＰＥ３は、例えば、インジウム錫酸化物やインジウム亜鉛酸化物などの透明な導電材料によって形成されている。
【００２９】
第２基板ＳＵＢ２は、ガラス基板や樹脂基板などの透明な第２絶縁基板２０を用いて形成されている。第２基板ＳＵＢ２は、第２絶縁基板２０の第１基板ＳＵＢ１と対向する側に、遮光層ＢＭ、カラーフィルタＣＦＲ、ＣＦＧ、ＣＦＢ、オーバーコート層ＯＣ、第２配向膜ＡＬ２などを備えている。遮光層ＢＭは、第２絶縁基板２０の第１基板ＳＵＢ１と対向する内面に形成されている。遮光層ＢＭは、黒色の樹脂材料や、遮光性の金属材料によって形成されている。カラーフィルタＣＦＲ，ＣＦＧ、ＣＦＢは、第２絶縁基板２０の内面に形成され、それぞれの一部が遮光層ＢＭに重なっている。カラーフィルタＣＦＲ，ＣＦＧ、ＣＦＢは、それぞれ液晶層ＬＱを挟んで画素電極ＰＥ１乃至ＰＥ３と対向している。カラーフィルタＣＦＲは、赤色のカラーフィルタであり、赤色に着色された樹脂材料によって形成されている。カラーフィルタＣＦＧは、緑色のカラーフィルタであり、緑色に着色された樹脂材料によって形成されている。カラーフィルタＣＦＢは、青色のカラーフィルタであり、青色に着色された樹脂材料によって形成されている。オーバーコート層ＯＣは、カラーフィルタＣＦＲ、ＣＦＧ，ＣＦＢを覆っている。オーバーコート層ＯＣは、透明な樹脂材料によって形成されている。オーバーコート層ＯＣは、第２配向膜ＡＬ２によって覆われている。第１配向膜ＡＬ１及び第２配向膜ＡＬ２は、水平配向性を示す材料によって形成されている。
【００３０】
第１基板ＳＵＢ１と第２基板ＳＵＢ２とは、所定のセルギャップが形成された状態で貼り合わせられている。液晶層ＬＱは、第１配向膜ＡＬ１と第２配向膜ＡＬ２との間に封入されている。
【００３１】
第１偏光板ＰＬ１を含む第１光学素子ＯＤ１は、第１基板ＳＵＢ１の外面に配置されている。第２偏光板ＰＬ２を含む第２光学素子ＯＤ２は、第２基板ＳＵＢ２の外面に配置されている。
【００３２】
なお、図示した例では、カラーフィルタＣＦＲ、ＣＦＧ、ＣＦＢは、第２基板ＳＵＢ２に形成されたが、第１基板ＳＵＢ１に形成されても良い。一例では、カラーフィルタＣＦＲ、ＣＦＧ、ＣＦＢは、第１絶縁膜１１と置換されても良いし、第１絶縁基板１０と第１絶縁膜１１との間に配置されても良い。
【００３３】
なお、図２に示した例では、画素電極ＰＥ１乃至ＰＥ３と共通電極ＣＥが第１基板ＳＵＢ１上に形成された表示パネルＰＮＬを示しているが、この構成に限らず、表示パネルＰＮＬの表示モードによって適宜様々な構成をとることが可能である。
【００３４】
表示パネルＰＮＬの詳細な構成については説明を省略するが、ＴＮ（Twisted Nematic）モード、ＰＤＬＣ（Polymer Dispersed Liquid Crystal）モード、ＯＣＢ（Optically Compensated Bend）モード、ＥＣＢ（Electrically Controlled Birefringence）モード、或いはＶＡ（Vertical Aligned）モードなどの基板主面の法線に沿った縦電界を利用するモード、あるいは、基板主面に対して斜め方向に傾斜した傾斜電界を利用する表示モードでは、画素電極ＰＥが第１基板ＳＵＢ１に備えられる一方で、共通電極ＣＥが第２基板ＳＵＢ２に備えられる。また、ＩＰＳ（In-Plane Switching）モード、ＩＰＳモードの１つであるＦＦＳ（Fringe Field Switching）モードなどの基板主面に沿った横電界を利用するモードでは、画素電極ＰＥ及び共通電極ＣＥの双方が第１基板ＳＵＢ１に備えられる。さらには、表示パネルＰＮＬは、上記の縦電界、横電界、及び、傾斜電界を適宜組み合わせて利用する表示モードに対応した構成を有していても良い。
【００３５】
図３は、図１に示したバックライトユニットＢＬの一部の構成を示す平面図である。図３は、第１方向Ｘと第２方向Ｙとによって規定されたＸ−Ｙ平面における平面図を示している。なお、第１方向及び第２方向Ｙは、互いに直交している。
【００３６】
図３に示した例では、バックライトユニットＢＬは、導光板ＬＧ、発光素子ＬＥＤ１乃至ＬＥＤ３、波長変換部材ＷＣ、反射部材ＲＳを備えている。
【００３７】
導光板ＬＧは、第１端部ＬＧＣに凸部Ｔ１乃至Ｔ４を有している。導光板ＬＧは、例えば、アクリル樹脂、ポリカーボネート等を用いて形成され、厚さ２〜５ｍｍ程度に形成される。導光板ＬＧの第２端部ＬＧＤは、平坦に形成され、第２方向Ｙに延出している。
【００３８】
発光素子ＬＥＤ１は、凸部Ｔ１及びＴ２の間に配置されている。発光素子ＬＥＤ１は、光を出射する発光面Ａ１を有しており、発光面Ａ１が波長変換部材ＷＣと対向するように配置されている。発光素子ＬＥＤ２は、凸部Ｔ２及びＴ３の間に配置されている。発光素子ＬＥＤ２は、光を出射する発光面Ａ２を有しており、発光面Ａ２が波長変換部材ＷＣと対向するように配置されている。発光素子ＬＥＤ３は、凸部Ｔ３及びＴ４の間に配置されている。発光素子ＬＥＤ３は、光を出射する発光面Ａ３を有しており、発光面Ａ３が波長変換部材ＷＣと対向するように配置されている。
【００３９】
波長変換部材ＷＣは、ガラス等を用いて形成された管の中に、第１波長変換材料ＥＭ１及び第２波長変換材料ＥＭ２を含有した透明な樹脂ＲＥを封入して形成されている。第１波長変換材料ＥＭ１及び第２波長変換材料ＥＭ２は、例えば、有機または無機の蛍光体や量子ドットを用いて形成されている。樹脂ＲＥは、例えば、エポキシやシリコーンなどの透光性樹脂を用いて形成されている。
【００４０】
なお、光の界面反射や散乱を抑制するために、各発光素子ＬＥＤと導光板ＬＧとの間の隙間には、樹脂が充填されていてもよい。また、波長変換部材ＷＣと導光板ＬＧとの間の隙間にも、樹脂が充填されていてもよい。
【００４１】
図示した反射部材ＲＳは、図１に示した反射部材ＲＳに相当し、発光素子ＬＥＤ１乃至ＬＥＤ３の背面つまり発光面Ａ１乃至Ａ３とは反対側の面に対向するように形成されている。また、反射部材ＲＳは、波長変換部材ＷＣの背面つまり導光板ＬＧの第２端部ＬＧＤと対向する側とは反対側の面に対向するように形成されている。反射部材ＲＳは、発光素子ＬＥＤ１乃至ＬＥＤ３の点灯時に、導光板ＬＧの第１端部ＬＧＣから発光素子の背面側に漏れた光、及び、波長変換部材ＷＣの背面側に漏れた光をそれぞれ導光板ＬＧに向けて反射する。
【００４２】
図４は、図３の線Ｉ−Ｉの断面を示す図である。図４は、第１方向Ｘと第３方向Ｚとによって規定されたＸ−Ｚ平面における断面図を示している。なお、第３方向Ｚは、第１方向及び第２方向Ｙに直交している。ここでは、発光素子ＬＥＤ１を含む断面を示しているが、発光素子ＬＥＤ２及びＬＥＤ３を含んだ構成についても同様の動作や効果が得られるため、その説明を省略する。
【００４３】
反射部材ＲＳは、発光素子ＬＥＤ１の発光面Ａ１側を開口した状態で、発光素子ＬＥＤ１の周りを囲んでいる。また、反射部材ＲＳは、波長変換部材ＷＣと導光板ＬＧの第２端部ＬＧＤとが対向する側を開口した状態で、波長変換部材ＷＣの周りを囲んでいる。なお、反射部材ＲＳは、発光素子ＬＥＤ１などと同様に、導光板ＬＧの凸部Ｔ１乃至Ｔ４の各々についてもそれらの周りを囲んでいる。
【００４４】
発光素子ＬＥＤ１は、第１波長帯の光を発光する。発光素子ＬＥＤ１から出射された一部の光Ｌ１は、導光板ＬＧの第１端部ＬＧＣから入射し、導光板ＬＧの内部を全反射して第２端部ＬＧＤから出射され、波長変換部材ＷＣに入射する。
【００４５】
波長変換部材ＷＣは、発光素子ＬＥＤ１から出射された出射光によって励起されることにより出射光とは異なる波長の光を発光するものである。すなわち、波長変換部材ＷＣにおいて、第１波長変換材料ＥＭ１は、発光素子ＬＥＤ１から出射される第１波長帯の出射光によって励起され、第２波長帯の光を発光する。第２波長変換材料ＥＭ２は、発光素子ＬＥＤ１から出射される第１波長帯の出射光によって励起され、第３波長帯の光を発光する。ここで、第１波長帯、第２波長帯、第３波長帯はそれぞれ異なった波長帯であって、例えば第２波長帯及び第３波長帯は第１波長帯よりも長波長である。また、第２波長帯は、例えば第３波長帯よりも長波長である。
【００４６】
波長変換部材ＷＣに入射した光Ｌ１のうち、一部は第１波長変換材料ＥＭ１によって第２波長帯の光に変換され、他の一部は、第２波長変換材料ＥＭ２によって第３波長帯の光に変換され、さらに他の一部は波長変換されることなく第１波長帯の光に維持される。つまり、波長変換部材ＷＣから出射される光Ｌ２は、第１波長帯の光、第２波長帯の光、第３波長帯の光から構成されている。なお、発光素子ＬＥＤ１から出射された一部の光Ｌ３は、波長変換部材ＷＣに到達せずに、第１波長帯の光として主面ＬＧＡから出射される。また、導光板ＬＧの主面ＬＧＢから漏れた光、波長変換部材ＷＣにおいて第２端部ＬＧＤとは異なる方向に向かって発光した光、さらには、発光素子ＬＥＤ１の背面側に漏れた光は、いずれも反射部材ＲＳによって導光板ＬＧに向けて反射される。
【００４７】
上記したような光Ｌ２及びＬ３は、導光板ＬＧの主面ＬＧＡの全面から出射される。つまり、発光素子ＬＥＤ１点灯時に、光Ｌ２及びＬ３が混合された光Ｌ４が主面ＬＧＡの全面から出射される。
【００４８】
図示した例では、例えば、発光素子ＬＥＤ１は青色発光ダイオードであり、第１波長帯の光は青色光に相当する。また、図示した例では、第１波長変換材料ＥＭ１及び第２波長変換材料ＥＭ２は、青色光によって励起される蛍光体であり、第１波長変換材料ＥＭ１が赤色蛍光体であり、第２波長変換材料ＥＭ２が緑色蛍光体である。発光素子ＬＥＤ１点灯時に、それぞれ青色光で励起され、赤色蛍光体は赤色光を発光し、緑色蛍光体は緑色光を発光する。ここでは、例えば、第２波長帯の光が赤色光に相当し、第３波長帯の光が緑色光に相当する。このとき、光Ｌ３は青色光であり、光Ｌ２は赤色光、青色光、緑色光を含む。つまり、光Ｌ２及びＬ３が混合された光Ｌ４として、白色光が導光板ＬＧの主面ＬＧＡから出射される。
【００４９】
例えば、赤色波長帯の光を発光する波長変換材料が赤色蛍光体である場合、その具体的な材料としては、Ｍ２Ｏ２Ｓ：Ｅｕ（但し、ＭはＬａ、Ｇｄ、Ｙから選ばれる何れか１つ又は２つ以上の元素）、０．５ＭｇＦ２・３．５ＭｇＯ・ＧｅＯ２：Ｍｎ、Ｙ２Ｏ３：Ｅｕ、Ｙ（Ｐ、Ｖ）Ｏ４：Ｅｕ、ＹＶＯ４：Ｅｕで表される蛍光体の群のうち、何れか１つ又は２つ以上から形成される。
【００５０】
例えば、緑色波長帯の光を発光する波長変換材料が緑色蛍光体である場合、その具体的な材料としては、ＲＭｇ２ＡＬ１６Ｏ２７：Ｅｕ、Ｍｎ（但し、ＲはＳｒ、Ｂａから選ばれるいずれか１つまたは両方の元素）、ＲＭｇＡｌ１０Ｏ１７：Ｅｕ、Ｍｎ（但し、ＲはＳｒ、Ｂａから選ばれるいずれか１つ又は両方の元素）、ＺｎＳ：Ｃｕ、ＳｒＡｌ２Ｏ４：Ｅｕ、ＳｒＡｌ２Ｏ４：Ｅｕ、Ｄｙ、ＺｎＯ：Ｚｎ、Ｚｎ２Ｇｅ２Ｏ４：Ｍｎ、Ｚｎ２ＳｉＯ４：Ｍｎ、Ｑ３ＭｇＳｉ２Ｏ８：Ｅｕ、Ｍｎ（但しＱはＳｒ、Ｂａ、Ｃａから選ばれるいずれか１つ又は２つ以上の元素）で表される蛍光体群のうち、何れか１つ又は２つ以上から形成される。
【００５１】
なお、第１波長変換材料ＥＭ１及び第２波長変換材料ＥＭ２は、量子ドットによって形成することも可能である。量子ドットは、例えば、外形寸法が数ナノメートルから数十ナノメートルの半導体の結晶である。本実施形態における量子ドットは、例えばウルツ鉱型又は閃亜鉛鉱型の結晶構造を有するＩＩ−ＶＩ族半導体又はＩＩＩ−Ｖ族半導体で形成されている。量子ドットは、例えばコア・シェル構造を形成している。コアは、量子ドットの中心に位置し、例えばセレン化カドミウム（ＣｄＳｅ）、テルル化カドミウム（ＣｄＴｅ）、又はリン化インジウム（ＩｎＰ）などで形成されている。シェルは、コアの周囲を覆いコアを物理的及び化学的に安定化させている。シェルの周囲には有機分子が修飾されている場合もある。シェルは、例えば硫化亜鉛（ＺｎＳ）や硫化カドミウム（ＣｄＳ）などで形成されている。量子ドットは、コアの半導体の種類及び大きさによって発光の波長選択性を有する。これにより、好適な発光波長を備える量子ドットを形成することができる。波長変換材料が量子ドットによって形成されることにより、色再現範囲を広くすることが可能である。
【００５２】
また、波長変換部材ＷＣが１種類の波長変換材料を含有していてもよい。例えば、発光素子ＬＥＤ１が青色発光ダイオードである場合、波長変換部材ＷＣが、青色光によって励起され黄色に発光する波長変換材料を含有していてもよい。また、波長変換部材ＷＣが３種類の波長変換材料を含有していてもよい。
【００５３】
さらに、発光素子ＬＥＤ１として、紫外発光ダイオードを用いてもよい。この時、例えば、波長変換部材ＷＣは、紫外光によって励起され青色に発光する第１波長変換材料ＥＭ１、及び、紫外光によって励起され黄色に発光する第２波長変換材料ＥＭ２を備えている。また、波長変換部材ＷＣは、第１波長変換材料ＥＭ１及び第２波長変換材料ＥＭ２に加えて、第３波長変換材料を備えていても良い。この場合、例えば、第１乃至第３波長変換材料は、紫外光によって励起され、それぞれ赤色、青色、緑色に発光する。
【００５４】
なお、発光素子ＬＥＤ１、波長変換部材ＷＣに含まれる波長変換材料の組み合わせについては、上記の例に限らない。導光板ＬＧの主面ＬＧＡから出射される光Ｌ４は、発光素子から発光された光の色と、波長変換材料から発光された光の色とを組み合わせて構成しても良いし、複数の波長変換材料から発光されたそれぞれの光の色を組み合わせて構成しても良い。
【００５５】
本実施形態によれば、発光素子ＬＥＤは導光板ＬＧの第１端部ＬＧＣと対向して配置され、波長変換部材ＷＣは導光板ＬＧの第２端部ＬＧＤと対向して配置されている。換言すると、波長変換部材ＷＣは、導光板ＬＧを介して発光素子ＬＥＤの発光面Ａから離して配置されている。このため、発光素子ＬＥＤの点灯時に発光素子ＬＥＤの発光面Ａで生成される熱が、波長変換材料に伝わるのを抑制することができ、発光素子ＬＥＤの熱による波長変換材料の劣化や変換効率の低下を抑制することができる。したがって、発光素子ＬＥＤからの出射光と、波長変換材料から発光された光とを混合した光を出射する光源装置において、波長変換材料の劣化により生じる色度の経時的変化あるいは色ムラの発生を抑制することができる。また、このような光源装置を備えた表示装置においては、表示品位の低下を抑制することができる。
【００５６】
また、本実施形態によれば、図３に示したように、導光板ＬＧは第１端部ＬＧＣに複数の凸部Ｔ１乃至Ｔ４を有しており、発光素子ＬＥＤの各々は隣り合う凸部の間に配置されている。さらに、これらの発光素子や凸部は、それぞれ反射部材ＲＳによって囲まれている。このため、発光素子から導光板ＬＧに入射しなかった光や、導光板から漏れ出た光は、反射部材ＲＳによって導光板に向けて反射される。これにより、導光板ＬＧの第１端部ＬＧＣの側において、光の利用効率の低下を抑制することができる。
【００５７】
加えて、波長変換部材ＷＣは、反射部材ＲＳによって囲まれている。このため、波長変換部材ＷＣで発光した光のうち導光板ＬＧに入射しなかった光や、波長変換部材ＷＣから漏れ出た光は、反射部材ＲＳによって導光板ＬＧに向けて反射される。これにより、導光板ＬＧの第２端部ＬＧＤの側においても、光の利用効率の低下を抑制することができる。
【００５８】
したがって、色度の経時的変化及び表示品位の低下を抑制することが可能となる。
【００５９】
次に、本実施形態の変形例について説明する。
図５は、本実施形態に係る他の構成例を示す図である。図５に示した構成例は、図４に示した構成例と比較すると、導光板ＬＧが主面ＬＧＢ側にプリズムＰＲのパターンを有している点で異なっている。
【００６０】
プリズムＰＲは、急斜面ＰＲａ及び緩斜面ＰＲｂを有している。図中の光Ｌ１のように、発光素子ＬＥＤ１から出射され、導光板ＬＧの内部を伝わる光は、導光板ＬＧの主面ＬＧＡや緩斜面ＰＲｂで全反射される。また、図中のＬ２のように、波長変換部材ＷＣを介した後に導光板ＬＧの内部を伝わる光は、急斜面ＰＲａで反射され、主面ＬＧＡから出射される。
【００６１】
このようにプリズムＰＲが形成された導光板ＬＧを適用することにより、発光素子ＬＥＤ１から出射された光を効率良く波長変換部材ＷＣに案内することができるとともに、波長変換部材ＷＣから発光された光を効率よく主面ＬＧＡから出射させることができる。なお、プリズムＰＲの替わりにドットパターンを用いることもできる。また、プリズムパターンやドットパターンは、導光板ＬＧの主面ＬＧＡに形成されていてもよい。
【００６２】
図６は、本実施形態に係るバックライトユニットＢＬの他の構成例を示す分解斜視図である。図６に示した構成例は、図３などに示した構成例と比較すると、バックライトユニットＢＬが、発光素子ＬＥＤ１乃至ＬＥＤ３、導光板ＬＧ、波長変換部材ＷＣに加えて、さらに、発光素子ＬＥＤ４乃至ＬＥＤ６、導光板ＬＧｂ、波長変換部材ＷＣｂを備えている点で相違している。なお、ここでは、反射シート等は省略し、説明に必要な箇所のみ図示している。
【００６３】
ここで、発光素子ＬＥＤ１乃至ＬＥＤ３、導光板ＬＧ、波長変換部材ＷＣを下段部ＢＬＡと称し、発光素子ＬＥＤ４乃至ＬＥＤ６、導光板ＬＧｂ、波長変換部材ＷＣｂを上段部ＢＬＢと称する。下段部ＢＬＡは、図３に示したバックライトユニットＢＬの構成と略同一の構成をとっている。上段部ＢＬＢは、下段部ＢＬＡに対して第３方向Ｚに重なって位置し、下段部ＢＬＡの構成をＸ−Ｙ平面内で１８０度回転させた構成と略同一の構成をとっている。ここで、下段部ＢＬＡの導光板ＬＧは、第１導光板に相当する。下段部ＢＬＡの発光素子ＬＥＤ１乃至ＬＥＤ３は、第１発光素子に相当する。下段部ＢＬＡの波長変換部材ＷＣは、第１波長変換部材に相当する。また、上段部ＢＬＢの導光板ＬＧｂは、第２導光板に相当する。上段部ＢＬＢの発光素子ＬＥＤ４乃至ＬＥＤ６は、第２発光素子に相当する。上段部ＢＬＢの波長変換部材ＷＣｂは、第２波長変換部材に相当する。
【００６４】
導光板ＬＧｂは、導光板ＬＧの上に配置されている。導光板ＬＧｂは、主面ＬＧＥと、主面ＬＧＥの反対側の主面ＬＧＦと、主面ＬＧＥ及び主面ＬＧＦを繋ぐ側面である第３端部ＬＧＧと、第３端部ＬＧＧの反対側の側面である第４端部ＬＧＨと、を有している。主面ＬＧＥは、光を出射する出射面に相当する。導光板ＬＧｂは、その主面ＬＧＦが、導光板ＬＧの主面ＬＧＡと対向するように配置されている。導光板ＬＧｂは、第３端部ＬＧＧに凸部Ｔ５乃至Ｔ８を有している。
【００６５】
発光素子ＬＥＤ４は、凸部Ｔ５及びＴ６の間に配置され、光を出射する発光面Ａ４が波長変換部材ＷＣｂと対向するように配置されている。発光素子ＬＥＤ５は、凸部Ｔ６及びＴ７の間に配置され、光を出射する発光面Ａ５が波長変換部材ＷＣｂと対向するように配置されている。発光素子ＬＥＤ６は、凸部Ｔ７及びＴ８の間に配置され、光を出射する発光面Ａ６が波長変換部材ＷＣｂと対向するように配置されている。
【００６６】
導光板ＬＧｂの凸部Ｔ５乃至Ｔ８、発光素子ＬＥＤ４乃至ＬＥＤ６は、下段部ＢＬＡの波長変換部材ＷＣの上に重なるように配置されている。
【００６７】
波長変換部材ＷＣｂは、波長変換部材ＷＣと略同一の構成で形成されている。波長変換部材ＷＣｂは、下段部ＢＬＡの発光素子ＬＥＤ１乃至ＬＥＤ３、導光板ＬＧの凸部Ｔ１乃至Ｔ４の上に重なるように配置されている。
【００６８】
図７は、図６の線ＩＩ−ＩＩの断面を示す図である。図７は、第１方向Ｘと第３方向Ｚによって規定されたＸ−Ｚ平面における断面図を示している。ここでは、発光素子ＬＥＤ１及びＬＥＤ４を含む断面を示しているが、発光素子ＬＥＤ２、ＬＥＤ３、ＬＥＤ５、ＬＥＤ６を含んだ構成についても同様の動作や効果が得られるため、その説明を省略する。
【００６９】
反射部材ＲＳは、下段部ＢＬＡにおいて、少なくとも波長変換部材ＷＣの周りを囲み、また、上段部ＢＬＢにおいて、少なくとも波長変換部材ＷＣｂの周りを囲んでいる。なお、図示しないが、反射部材ＲＳは、図４に示した例と同様に、発光素子ＬＥＤ１の周りを囲み、また、発光素子ＬＥＤ４の周りを囲んでいても良い。
【００７０】
下段部ＢＬＡは、図４を参照して説明した通り主面ＬＧＡから白色光を発光する。また、上段部ＢＬＢは、下段部ＢＬＡと同様に主面ＬＧＥから白色を発光する。
【００７１】
図７に示した構成例においても、上記したのと同様の効果が得られる。加えて、発光素子ＬＥＤ１及び波長変換部材ＷＣｂが第３方向Ｚに重なり、波長変換部材ＷＣ及び発光素子ＬＥＤ４が第３方向Ｚに重なって配置されている。つまり、バックライトユニットＢＬを主面ＬＧＥ側から観察した際に、導光板ＬＧ及び導光板ＬＧｂの両端部から略同一の条件で光が発光されているように観察される。つまり、下段部ＢＬＡにおいて発光素子ＬＥＤ１から出射された光のうち、発光素子ＬＥＤ１の近傍で主面ＬＧＡから出射された光は、上段部ＢＬＢにおいて波長変換部材ＷＣｂの近傍を通り、波長変換部材ＷＣｂで発光された光と混ざって主面ＬＧＥから出射される。同様に、上段部ＢＬＢにおいて発光素子ＬＥＤ４から出射された光のうち、発光素子ＬＥＤ４の近傍で主面ＬＧＥから出射される光は、下段部ＢＬＡにおいて波長変換部材ＷＣで発光された光と混ざって主面ＬＧＥから出射される。バックライトユニットＢＬを主面ＬＧＥ側から観察した際に、導光板ＬＧの両端部において、発光素子と波長変換部材の構成の非対称性を緩和することができる。そのため、主面ＬＧＥのほぼ全面に亘って色度の差を低減ことができる。
【００７２】
なお、導光板ＬＧの主面ＬＧＢや、導光板ＬＧｂの主面ＬＧＦなどには、図５で示したようなプリズムパターン、もしくはドットパターンが形成されていてもよい。
【００７３】
図８は、本実施形態に係るバックライトユニットＢＬの他の構成例を示す図である。図８に示した構成例は、図３に示した構成例と比較して、導光板の形状や発光素子及び波長変換部材の構成が異なっている。
【００７４】
図８に示した例では、バックライトユニットＢＬは、発光素子ＬＥＤ１乃至ＬＥＤ５、波長変換部材ＷＣ１及びＷＣ２、導光板ＬＧ、反射部材ＲＳを備えている。ここでは、発光素子ＬＥＤ１乃至ＬＥＤ３は、第１発光素子に相当し、発光素子ＬＥＤ４及びＬＥＤ５は、第２発光素子に相当する。波長変換部材ＷＣ１は、第２波長変換部材に相当し、波長変換部材ＷＣ２は、第１波長変換部材に相当する。
【００７５】
発光素子ＬＥＤ１乃至ＬＥＤ３は、その発光面Ａ１乃至Ａ３が、導光板ＬＧの第１端部ＬＧＣと対向して配置されている。発光素子ＬＥＤ４及びＬＥＤ５は、その発光面Ａ４及びＡ５が、導光板ＬＧの第２端部ＬＧＤと対向して配置されている。導光板ＬＧの第１端部ＬＧＣ及び第２端部ＬＧＤは、いずれも平坦に形成され、第２方向Ｙに延出している。
【００７６】
波長変換部材ＷＣ１は、発光素子ＬＥＤ１乃至ＬＥＤ３に重なって配置されるとともに発光素子ＬＥＤ１乃至ＬＥＤ３の両側に位置している。つまり、波長変換部材ＷＣ１と、発光素子ＬＥＤ１乃至ＬＥＤ３は、導光板ＬＧの第１端部ＬＧＣに沿って並んでいる。図示した例では、波長変換部材ＷＣ１の第１部ＷＣ１ａは、導光板ＬＧを挟んで発光素子ＬＥＤ４と対向している。波長変換部材ＷＣ１の第２部ＷＣ１ｂは、導光板ＬＧを挟んで発光素子ＬＥＤ５と対向している。
【００７７】
波長変換部材ＷＣ２は、発光素子ＬＥＤ４及びＬＥＤ５に重なって配置されるとともに発光素子ＬＥＤ４及びＬＥＤ５の両側に位置している。つまり、波長変換部材ＷＣ２と、発光素子ＬＥＤ４及びＬＥＤ５は、導光板ＬＧの第２端部ＬＧＤに沿って並んでいる。図示した例では、波長変換部材ＷＣ２の第１部ＷＣ２ａは、導光板ＬＧを挟んで発光素子ＬＥＤ１と対向している。波長変換部材ＷＣ２の第２部ＷＣ２ｂは、導光板ＬＧを挟んで発光素子ＬＥＤ２と対向している。波長変換部材ＷＣ２の第３部ＷＣ２ｃは、導光板ＬＧを挟んで発光素子ＬＥＤ３と対向している。
【００７８】
図９は、図８の矢印Ｂの方向から見た発光素子ＬＥＤ１乃至ＬＥＤ３と波長変換部材の構成例を示す図である。
【００７９】
波長変換部材ＷＣ１は櫛歯状に形成されている。第１部ＷＣ１ａは、発光素子ＬＥＤ１及びＬＥＤ２の間に位置している。第２部ＷＣ１ｂは、発光素子ＬＥＤ２及びＬＥＤ３の間に位置している。また、波長変換部材ＷＣ１は、発光素子ＬＥＤ１乃至ＬＥＤ３の上にも延在している。発光素子ＬＥＤ４及びＬＥＤ５と、波長変換部材ＷＣ２についても同様の構成をとっているためその説明を省略する。
【００８０】
図１０は、図８に示したバックライトユニットＢＬの断面図である。図中の(ａ)は、図８の線ＩＩＩ−ＩＩＩの断面を示す図であり、図中の(ｂ)は、図８の線ＩＶ−ＩＶの断面を示す図である。図１０は、第１方向Ｘと第３方向Ｚによって規定されたＸ−Ｚ平面における断面図を示している。ここでは、発光素子ＬＥＤ１及びＬＥＤ４を含む断面を示しているが、発光素子ＬＥＤ２、ＬＥＤ３、ＬＥＤ５を含んだ構成についても同様の動作や効果が得られるため、その説明を省略する。
【００８１】
図中の（ａ）に示した例では、発光素子ＬＥＤ１からの出射光の少なくとも一部の光Ｌ１は、主に、図８に示した波長変換部材ＷＣ２のうちの第１部ＷＣ２ａに到達するが、その一部は拡散し、発光素子ＬＥＤ４の上に延在した波長変換部材ＷＣ２にも到達する。その後、波長変換部材ＷＣ２を経た光Ｌ２は、導光板ＬＧの主面ＬＧＡから出射される。同様に、図中の（ｂ）に示した例では、発光素子ＬＥＤ４からの出射光の少なくとも一部の光Ｌ１は、主に、図８に示した波長変換部材ＷＣ１のうちの第１部ＷＣ１ａに到達するが、その一部は拡散し、発光素子ＬＥＤ１及びＬＥＤ２の上に延在した波長変換部材ＷＣ１にも到達する。その後、波長変換部材ＷＣ１を経た光Ｌ２は、導光板ＬＧの主面ＬＧＡから出射される。
【００８２】
図８乃至図１０に示した構成例においても、上記したのと同様の効果が得られる。加えて、発光素子ＬＥＤ１乃至ＬＥＤ３と、発光素子ＬＥＤ４及びＬＥＤ５とが導光板ＬＧを挟んで第１端部ＬＧＣ及び第２端部ＬＧＤに交互に配置されている。また、発光素子ＬＥＤ１乃至ＬＥＤ３は、波長変換部材ＷＣ２と対向し、発光素子ＬＥＤ４及びＬＥＤ５は、波長変換部材ＷＣ１と対向している。この構成をとることにより、図６及び図７に示した構成例と同様に、バックライトユニットＢＬを主面ＬＧＡ側から観察した際に、導光板ＬＧの両端部において、発光素子と波長変換部材の構成の非対称性を緩和することができる。したがって、主面ＬＧＡのほぼ全面に亘って色度の差を低減することができる。
【００８３】
なお、導光板ＬＧの主面ＬＧＢには、図５で示したようなプリズムパターン、もしくはドットパターンが形成されていてもよい。
【００８４】
図１１は、本実施形態に係るバックライトユニットＢＬの他の構成例を示す図である。図１１に示した構成例は、図８に示した構成例と比較して、導光板ＬＧ、発光素子ＬＥＤ１乃至ＬＥＤ５、波長変換部材ＷＣ１及びＷＣ２の構成が異なっている。
【００８５】
導光板ＬＧは、第１端部ＬＧＣに凸部Ｔ１及びＴ２を有し、第２端部ＬＧＤに凸部Ｔ３乃至Ｔ５を有している。
【００８６】
凸部Ｔ１は、発光素子ＬＥＤ１及びＬＥＤ２の間に位置し、発光素子ＬＥＤ４と対向するように配置されている。凸部Ｔ２は、発光素子ＬＥＤ２及びＬＥＤ３の間に位置し、発光素子ＬＥＤ５と対向するように配置されている。発光素子ＬＥＤ４は、凸部Ｔ３及びＴ４の間に位置している。発光素子ＬＥＤ５は、凸部Ｔ４及びＴ５の間に位置している。
【００８７】
波長変換部材ＷＣ１は、発光素子ＬＥＤ１乃至ＬＥＤ３の発光面Ａ１乃至Ａ２の反対側、及び、凸部Ｔ１及びＴ２に対向して配置されている。つまり、波長変換部材ＷＣ１は、発光素子ＬＥＤ１乃至ＬＥＤ３の導光板ＬＧと反対側に配置されている。波長変換部材ＷＣ２は、発光素子ＬＥＤ４及びＬＥＤ５の発光面Ａ４及びＡ５の反対側、及び、凸部Ｔ３乃至Ｔ５に対向して配置されている。つまり、波長変換部材ＷＣ２は、発光素子ＬＥＤ４及びＬＥＤ５の導光板ＬＧと反対側に配置されている。
【００８８】
図１２は、図１１の矢印Ｃの方向から見た発光素子ＬＥＤ１乃至ＬＥＤ３と波長変換部材ＷＣ１の構成例を示す図である。
【００８９】
波長変換部材ＷＣ１は、発光素子ＬＥＤ１乃至ＬＥＤ３の背面側に配置されている。波長変換部材ＷＣ２、発光素子ＬＥＤ４及びＬＥＤ５についても同様の構成をとっているためその説明を省略する。
【００９０】
図１３は、図１１に示したバックライトユニットＢＬの断面図である。図中の(ａ)は、図１１の線Ｖ−Ｖの断面を示す図であり、図中の(ｂ)は、図１１の線ＶＩ−ＶＩの断面を示す図である。図１３は、第１方向Ｘと第３方向Ｚによって規定されたＸ−Ｚ平面における断面図を示している。ここでは、発光素子ＬＥＤ１及びＬＥＤ４を含む断面を示しているが、発光素子ＬＥＤ２、ＬＥＤ３、ＬＥＤ５を含んだ構成についても同様の動作や効果が得られるため、その説明を省略する。
【００９１】
図中の（ａ）に示した例では、発光素子ＬＥＤ１からの出射光の少なくとも一部の光Ｌ１は、主に、図１１に示した波長変換部材ＷＣ２のうちの発光素子ＬＥＤ１と対向する位置に到達するが、その一部は拡散し、発光素子ＬＥＤ４の背面側に延在した波長変換部材ＷＣ２にも到達する。その後、波長変換部材ＷＣ２を経た光Ｌ２は、導光板ＬＧの主面ＬＧＡから出射される。同様に、図中の（ｂ）に示した例では、発光素子ＬＥＤ４からの出射光の少なくとも一部の光Ｌ１は、主に、図１１に示した波長変換部材ＷＣ１のうちの発光素子ＬＥＤ４と対向する位置に到達するが、その一部は拡散し、発光素子ＬＥＤ１及びＬＥＤ２の背面側に延在した波長変換部材ＷＣ１にも到達する。その後、波長変換部材ＷＣ１を経た光Ｌ２は、導光板ＬＧの主面ＬＧＡから出射される。
【００９２】
図１１乃至図１３に示した構成例においても、上記したのと同様の効果が得られる。
【００９３】
導光板ＬＧの主面ＬＧＢには、図５で示したようなプリズムパターン、もしくはドットパターンが形成されていてもよい。
【００９４】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００９５】
ＬＧＣ…第１端部  ＬＧＤ…第２端部  ＬＧ…導光板（第１導光板）
ＬＥＤ１、ＬＥＤ２、ＬＥＤ３…発光素子（第１発光素子）
ＬＥＤ４、ＬＥＤ５、ＬＥＤ６…第２発光素子
ＷＣ…波長変換部材（第１波長変換部材）
ＲＳ…反射部材（第１反射部材及び第２反射部材）
Ｔ１、Ｔ２，Ｔ３，Ｔ４，Ｔ５…凸部
プリズム…ＰＲ、ＢＬ…バックライトユニット（光源装置）
ＬＧＧ…第３端部、ＬＧＨ…第４端部、ＬＧｂ…第２導光板
ＷＣｂ…第２波長変換部材、
ＬＧＡ…主面（第１面）、ＬＧＢ…主面（第２面）
ＷＣ１…第１波長変換部材、ＷＣ２…第２波長変換部材、ＤＳＰ…表示装置
【図１】
2017027902.tif 000003
【図２】
2017027902.tif 000004
【図３】
2017027902.tif 000005
【図４】
2017027902.tif 000006
【図５】
2017027902.tif 000007
【図６】
2017027902.tif 000008
【図７】
2017027902.tif 000009
【図８】
2017027902.tif 000010
【図９】
2017027902.tif 000011
【図１０】
2017027902.tif 000012
【図１１】
2017027902.tif 000013
【図１２】
2017027902.tif 000014
【図１３】
2017027902.tif 000015